(57)【要約】    【課題】防虫剤を用いずにメンテナンスフリーとし、また、複数種の虫に対し虫除け可能な火災警報器を提供する。    【解決手段】火災による煙又は熱を検出して火災検出信号を出力する火災判定部４０と、火災警報音として使用される周波数帯域の警報音信号又は虫が嫌う周波数帯域の防虫音信号を出力する発振部４４と、虫除け機能の有無を選択する虫除け選択スイッチ４８と、虫除け選択スイッチ４８で虫除け機能を選択した際に発振部４４から防虫音信号を出力させ、火災判定部４０で火災を検出した際には発振部４４から警報音信号を出力させる音響制御部４２と、発振部４４から出力された防虫音信号又は警報音信号を増幅して音響出力する音響出力部５６とを備える。    【選択図】        図２
2008276448.tif 000002
【特許請求の範囲】
【請求項１】
火災を検出して火災検出信号を出力する火災判定部と、
火災警報音として使用される周波数帯域の警報音信号及び虫が嫌う周波数帯域の防虫音信号を出力する発振部と、
虫除け機能の有無を選択する虫除け選択スイッチと、
前記虫除け選択スイッチで虫除け機能を選択した際に前記発振部から防虫音信号を出力させ、前記火災判定部で火災を検出した際には前記発振部から警報音信号を出力させる音響制御部と、
前記発振部から出力された防虫音信号又は警報音信号を増幅して音響出力する音響出力部と、
を備えたことを特徴とする火災警報器。
【請求項２】
請求項１記載の火災警報器に於いて、前記発振部は、前記警報音信号及び前記防虫音信号のそれぞれ対応した音源データをメモリに予め記憶し、前記メモリから音源データを繰り返し読み出してＤＡ変換することにより前記警報音信号又は前記防虫音信号を出力することを特徴とする火災警報器。
【請求項３】
請求項１記載の火災警報器に於いて、前記音響制御部は、前記発振部から防虫音信号の出力中に前記火災判定部で火災を検出した際には、前記防虫音信号の出力を停止して前記警報音信号の出力に切り替えることを特徴とする火災警報器。
【請求項４】
請求項１記載の火災警報器に於いて、更に、人の存在を検出して人体検出信号を出力する人体検出部を備え、前記音響制御部は、前記人体検出信号が入力された際に前記発振部から出力される防虫音信号から人間の可聴周波数帯域をカットすることを特徴とする火災警報器。
【請求項５】
請求項１記載の火災警報器に於いて、
前記発振部は虫の種類に応じて異なる周波数帯域を持つ複数種の防虫音信号を予め設定し、
前記音響制御部は前記虫除け選択スイッチで虫除け機能を選択した際に、前記複数種の防虫信号を時間的にランダムに切り替えて前記発振部から出力させることを特徴とする火災警報器。
【請求項６】
請求項１記載の火災警報器に於いて、
前記火災判定部として、発光部からの光の煙による散乱光を受光部で受光して煙検出信号を出力する検煙部を備えた場合、
前記音響制御部は前記虫除け選択スイッチにより虫除け機能を非選択とした際にも前記発振部から防虫音信号を出力させると共に、前記音響出力部が出力する音響出力レベルを前記検煙部を含む狭い範囲に伝播させる低レベルに切り替えることを特徴とする火災警報器。
【発明の詳細な説明】
【技術分野】
【０００１】
本発明は、火災を検出して警報を出力すると共に虫除け機能を有する火災警報器に関する。
【背景技術】
【０００２】
従来、火災警報器は、室温が異常に高温になったとき、または室内の煙濃度が所定値を超えたとき等に火災が発生したと判断する火災検出部を備え、火災発生時に警報音声と共に表示灯を点滅させ、火災が発生したことを周囲に通知する警報機能を備えている。
【０００３】
また、揮発性物質である防虫シート上の防虫剤を放散させる方式の虫除け機能付の火災警報器も提案されている（特許文献１参照）。
【特許文献１】特開２００５−２９３３０６号公報
【発明の開示】
【発明が解決しようとする課題】
【０００４】
しかしながら、このような火災警報器は、防虫剤が放散して虫除けの効果がなくなってしまった場合には、新しい防虫シートへの交換作業が必要でありメンテナンスに手間がかかってしまう。
【０００５】
しかも、防虫シートの交換作業は火災警報器が設置されている高所での作業となり、たとえ火災警報器を設置場所から取り外してから防虫シートの交換作業ができたとしても、火災警報器を取り外す作業は高所での作業であることには代わりなく、高齢者や身体的弱者にとっては困難で危険な作業となる。
【０００６】
また、防虫剤を使用する方式では特定の種類の虫に対して虫除け効果は期待できるが、同時に異なる複数種の虫に対しての虫除けを行うことは難しい。
【０００７】
本発明は、防虫剤を用いずにメンテナンスフリーとし、また、複数種の虫に対し虫除け可能な火災警報器を提供することを目的とする。
【課題を解決するための手段】
【０００８】
この目的を達成するため本発明は次のように構成する。まず本発明の火災警報器は、火災を検出して火災検出信号を出力する火災判定部と、火災警報音として使用される周波数帯域の警報音信号及び虫が嫌う周波数帯域の防虫音信号を出力する発振部と、虫除け機能の有無を選択する虫除け選択スイッチと、虫除け選択スイッチで虫除け機能を選択した際に発振部から防虫音信号を出力させ、火災判定部で火災を検出した際には発振部から警報音信号を出力させる音響制御部と、発振部から出力された防虫音信号又は警報音信号を増幅して音響出力する音響出力部とを備える。
【０００９】
ここで発振部は、警報音信号及び防虫音信号のそれぞれ対応した音源データをメモリに予め記憶し、メモリから音源データを繰り返し読み出してＤＡ変換することにより警報音信号又は防虫音信号を出力する。
【００１０】
また音響制御部は、発振部から防虫音信号の出力中に火災判定部で火災を検出した際には、防虫音信号の出力を停止して警報音信号の出力に切り替える。
【００１１】
本発明の火災警報器は、更に、人の存在を検出して人体検出信号を出力する人体検出部を備え、音響制御部は、人体検出信号が入力された際に発振部から出力される防虫音信号から人間の可聴周波数帯域をカットする。
【００１２】
発振部は虫の種類に応じて異なる周波数帯域を持つ複数種の防虫音信号を予め設定し、音響制御部は虫除け選択スイッチで虫除け機能を選択した際に、複数種の防虫信号を時間的にランダムに切り替えて発振部から出力させる。
【００１３】
本発明の火災警報器は、火災判定部として、発光部からの光の煙による散乱光を受光部で受光して煙検出信号を出力する検煙部を備えた場合、音響制御部は虫除け選択スイッチにより虫除け機能を非選択とした際にも発振部から防虫音信号を出力させると共に、音響出力部が出力する音響出力レベルを検煙部を含む狭い範囲に伝播させる低レベルに切り替える。
【発明の効果】
【００１４】
本発明の火災警報器は、防虫剤を用いずに電子回路による防虫音のみを使用することで、防虫剤を使用した場合に発生する防虫シートの交換作業が不要になる。
【００１５】
また、防虫音の出力中に火災を検出した際には、防虫音の出力を停止して警報音の出力に切り替えることで、簡素な構造で火災警報器と虫除け器の両機能を実現できる。
【００１６】
本発明の火災警報器は、人の存在を検出した際には、出力中の防虫音から人間の可聴周波数帯域をカットすることで耳障りとならず、人に不快感を与えないで虫除けの機能を使用できる。
【００１７】
また、虫の種類に応じて異なる周波数帯域を持つ複数種の防虫音をランダムに切り替えて出力することで、複数種の虫に対して虫除け効果を発揮できる。
【００１８】
火災警報器が検煙部を備えた場合は、検煙部の防虫も合わせて行うことで従来備わっていた防虫網や防虫シートが不要になり、検煙部の構造を簡素化できる。更に、防虫網の清掃あるいは防虫シートの交換という作業が不要になる。
【発明を実施するための最良の形態】
【００１９】
図１は本発明による火災警報器の実施形態の外観を示した説明図であり、図１（Ａ）は設置された状態を示す正面図であり、図１（Ｂ）はその斜視図である。
【００２０】
火災警報器１０は、本体１２とカバー１４で構成され、本体１２の上部に位置する取り付け部１６で住宅内の任意の部屋の壁面に取り付けられる。カバー１４は中央部が皿状に突出しており、その周囲に煙流入口１８を開口している。
【００２１】
煙流入口１８を備えたカバー１４の内部には、図示しない煙チャンバーが組み込まれており、煙流入口１８を通して火災による煙をチャンバー内に流入し、発光素子と受光素子を備えた散乱光式の検煙部により火災による煙を検出している。
【００２２】
カバー１４の皿状突出部の中央には人体検出用の赤外線検出素子の防護カバーを兼ねた赤外線透過フィルター２０を備える。
【００２３】
カバー１４の左下側には音響孔２２が設けられ、音響孔２２に対応した内部には音響出力用のスピーカが収納されている。カバー１４の右下側には警報表示灯２４が設けられ、音響孔２２と警報表示灯２４の間にはＵ字型の切り抜きにより片持ち支持された警報停止ボタン２６が形成され、警報停止ボタン２６の内部には警報停止に使用する警報停止スイッチが組み込まれている。
【００２４】
カバー１４の左上側には虫除け表示灯２８が設けられている。音響孔２２と虫除け表示灯２８の間にはＵ字型の切り抜きにより片持ち支持された虫除け選択ボタン３０が形成され、虫除け選択ボタン３０の内部には虫除け機能の選択に使用する虫除け選択スイッチが組み込まれている。
【００２５】
図２は本発明による火災警報器の実施形態の回路構成を示したブロック図である。図２において、本発明の火災警報器１０は、電池３２、ノイズ吸収部３４、警報停止スイッチ３６、制御部３８、虫除け選択スイッチ４８、検煙部５０、音響出力部５６、警報表示灯部６２、虫除け表示灯部６４、人体検出部６６及び電圧低下検出部６８で構成される。
【００２６】
電池３２は火災警報器１０の電源を供給し、ノイズ吸収部３４は電池３２から供給される回路電圧の安定化を図る。制御部３８は、火災判定部４０、音響制御部４２、発振部４４及びメモリ４６を備え、プログラムの実行により所定のタイミングで火災判定及び人体検出判定を行う。
【００２７】
更に制御部３８は、警報表示灯部６２及び虫除け表示灯部６４の点灯制御、警報停止スイッチ３６による警報停止、虫除け選択スイッチ４８による虫除け機能の選択、電圧低下検出部６８による電源電圧の監視などを行う。
【００２８】
火災判定部４０による火災の検出は煙検出でも熱検出でも構わないが、本実施形態では煙検出を例にとっている。検煙部５０は発光素子５２と受光素子５４を備え、煙の検出は周期的に、例えば１０秒周期で行われ、制御部３８からのパルス信号により発光素子５２、例えば赤外線発光ダイオードに電流を流して発光させ、赤外線発光ダイオードの駆動で照射された光が煙により反射した散乱光を受光素子５４、例えばフォトダイオードに入射して光電流に変換し、更に電圧信号に変換して火災判定部４０に出力する。
【００２９】
火災判定部４０は、周期的に検煙部５０の受光素子５４からの信号レベルを取得して火災を判定するが、誤報を防止するために２回連続して火災を判定した場合に警報を出力し、その後２回連続して火災を判定しなければ警報を停止する。
【００３０】
人体の検出も周期的に行われ、人体検出部６６は赤外検出素子を備え、例えば１０秒周期で赤外線検出素子の出力レベルを取得して人体の存在有無を判定する。なお、煙の検出周期及び人体の検出周期は１０秒である必要はない。
【００３１】
発振部４４は、メモリ４６が予め記憶している警報音信号及び防虫音信号のそれぞれに対応した音源データを繰り返し読み出してＤＡ変換し音響出力部５６に出力する。
【００３２】
また発振部４４は、虫の種類に応じて異なる周波数帯域を持つ複数種の防虫音信号を予め設定し、音響制御部４２は複数種の防虫音信号を例えば図３に示すように時間的にランダムに切り替えて発振部４４から出力させる。
【００３３】
本実施形態において発振部４４は、メモリ４６に所定の周波数帯域をもった所定の長さの音源データを予め記憶し、これを繰り返し読出してＤＡ変換して出力する。
【００３４】
音源データは、例えば複数の発振器の合成信号や周波数シンセサイザーの出力信号から作られ、必要な周波数帯域の周波数をｆ１〜ｆ２とし、所定の周波数をΔｆずつ変化させた周波数ｆ１、ｆ１＋Δｆ、ｆ１＋２Δｆ、・・・・、ｆ１＋ｎΔｆ、ｆ２を発生してＡＤ変換した一定長のデータを生成し、これを加算合成したデータを音源データとする。この場合はΔｆの大きさで分解能が決まる。
【００３５】
また、発振部４４を単一周波数を発振する発振器とした場合は、周波数をｆ１〜ｆ２の範囲で周波数を連続的に変化させた周波数スイープデータを音源データとし、これを繰り返し発生すれば実質的に必要な周波数帯域を発生したと同じになる。
【００３６】
図３の例では、発振部４４が出力する防虫音信号を、蚊の嫌がる周波数帯信号、ハエの嫌がる周波数帯信号、アリの嫌がる周波数帯信号及びゴキブリの嫌がる周波数帯信号の４種類として、その出力順番及び出力時間に関しランダムに切り替える様子を示している。
【００３７】
各周波数帯域の時間幅はそれぞれの虫に応じて予め設定されており、同じ時間幅である必要はない。また、虫の種類及び作成する周波数帯域信号の数もこれに限定されない。
【００３８】
更に、出力する防虫音信号をその出力順番及び出力時間に関しランダムに切り替えず、所定の出力順番と所定の出力時間を繰り返してもかまわない。また、出力順番は変えずに出力時間のみをランダムに切り替えても、出力時間は変えずに順番のみをランダムに切り替えてもかまわない。
【００３９】
再び図２を参照し、音響制御部４２は、虫除け選択スイッチ４８で虫除け機能を選択した際に、発振部４４から防虫音信号を出力させ、火災判定部４０で火災を検出した際には発振部４４から警報音信号を出力させる。
【００４０】
ここで音響制御部４２は、発振部４４から防虫音信号の出力中に火災判定部で火災を検出した際には、防虫音信号の出力を停止して警報音信号の出力に切り替える。音響出力部５６は、発振部４４から防虫音信号又は警報音信号としてアナログ信号の出力を受けると、増幅部５８で増幅した音響をスピーカ６０で出力する。
【００４１】
音響出力部５６は、概ね１〜４５ｋＨｚの周波数帯域の警報音信号及び防虫音信号を音響出力するが、通常このような広帯域では単一スピーカでの変換は困難である。したがって、帯域分割し音響振動子（スピーカ）と超音波振動子を別々に設ける方が好ましい。
【００４２】
警報表示灯部６２は、火災判定部４０が火災を判定した際の出力を受けて、図１に示すＬＥＤ等の警報表示灯２４を所定の周期で点滅させる。
【００４３】
警報停止スイッチ３６は、図１に示す警報停止ボタン２６の押圧により作動し、警報停止スイッチ３６が作動すると制御部３８は所定時間、例えば６分間、音響出力部５６による警報音の出力及び警報表示灯部６２による警報表示灯２４の発光を停止する。
【００４４】
虫除け選択スイッチ４８は、図１に示す虫除け選択ボタン３０の押圧により作動し、発振部４４から防虫音信号を出力させ、音響出力部５６のスピーカ６０から防虫音を出力することで虫除け機能が働く。虫除け表示灯部６４は、虫除け選択スイッチ４８で虫除け機能を選択した際に、図１に示すＬＥＤ等の虫除け表示灯２８を点灯させる。
【００４５】
電圧低下検出部６８は電源電圧を監視し、検出した電圧が所定の電圧以下に低下すると、制御部３８は警報表示灯２４を所定の周期で点滅させ、またスピーカ６０から所定の周期、例えば４０秒周期で警告音を鳴動させる。
【００４６】
図４は、本発明による火災警報器の実施形態の処理手順を示すフローチャートである。まず、火災警報器１０の電源が投入されると制御部３８において処理が開始され、ステップＳ１で検煙部５０の発光素子５２を所定の周期、例えば１０秒周期で発光駆動し、受光素子５４は発光素子５２の駆動で照射された光が煙により反射した散乱光を受光素子５４に入射して受光信号を火災判定部４０に出力する。
【００４７】
続いて、ステップＳ２で人体検出部６６の赤外線検出素子の出力レベルに基づく人体検出情報を所定の周期、例えば１０秒周期で音響制御部４２に出力する。
【００４８】
次に、ステップＳ３で火災検出、人体検出、虫除け機能の選択、音響信号等のパラメータの初期化を行い、防虫音信号を発振部４４から音響出力部５６に出力する。
【００４９】
音響制御部４２は、ステップＳ４で虫除け選択スイッチ４８により虫除け機能が選択されているか否かを判定し、虫除け機能が選択されていない場合は、ステップＳ８で音響出力部５６から検煙部５０の防虫を行う低レベルの音圧で防虫音を音響出力する。
【００５０】
音響制御部４２は、ステップＳ４で虫除け機能が選択されている場合には、更にステップＳ５で人体検出部６６が人の存在を検出したか否かを判定し、人の存在を検出しない場合は、ステップＳ７で音響出力部５６から虫除け機能として効力のある高レベルの音圧で防虫音を音響出力する。
【００５１】
音響制御部４２は、ステップＳ５で人の存在を検出した場合は、発振部４４から出力される防虫音信号から人間の可聴周波数帯域を、例えばハイパスフィルタでカットし、ステップＳ７で音響出力部５６から虫除け機能として効力のある高レベルの音圧で防虫音を音響出力する。
【００５２】
次に火災判定部４０は、ステップＳ９で検煙部５０の受光素子５４から受けた受光信号の信号レベルを取得し、ステップＳ１０で信号レベルを基に煙の検出があったか否かを判定し、煙の検出を判定した場合、すなわち火災を検出するとステップＳ１１に進む。
【００５３】
音響制御部４２はステップ１１で発振部４４から音響出力部５６に出力されている防虫音信号を停止し、ステップＳ１２で発振部４４から警報音信号を音響出力部５６に出力することで、音響出力部５６からの音響出力は防虫音から警報音に切り替わる。
【００５４】
音響出力部５６のスピーカ６０から警報音が出力された後、音響制御部４２はステップＳ１３で警報停止スイッチ３６を操作し警報停止指示がされているか否かを判定し、警報停止指示があった場合はステップＳ１４に進み警報を停止し、更にステップＳ１５で処理の停止指示があるか否かを判定し、処理停止指示があれば処理を停止する。
【００５５】
ステップ１３で警報停止指示がなかった場合、及びステップ１５で処理停止指示がなかった場合はステップＳ９に戻り、検煙部５０の受光素子５４から受けた受光信号の信号レベルを取得し、ステップＳ１０で信号レベルを基に煙の検出があったか否かを判定し、火災を検出しない場合はステップＳ３に戻り、パラメータの初期化を行うことで警報音の出力が停止する。
【００５６】
図５は本発明による火災警報器の他の実施形態として、火災による熱を検出する検熱部を備えた方式の回路構成を示したブロック図であり、図２に示す本発明による火災警報器の実施形態の検煙部５０が感熱素子７２、例えばサーミスタを備えた検熱部７０に変更された以外は同じ構成である。
【００５７】
図６は、図５に示す本発明による火災警報器の他の実施形態の処理手順を示したフローチャートである。
【００５８】
まず、火災警報器１０の電源が投入されると制御部３８において処理が開始され、ステップＳ１で検熱部７０の感熱素子７２を所定の周期、例えば１０秒周期で検出駆動し、感熱信号を火災判定部３８に出力する。
【００５９】
続いて、ステップＳ２で人体検出部６６の赤外線検出素子の出力レベルに基づく人体検出情報を所定の周期、例えば１０秒周期で音響制御部４２に出力する。
【００６０】
次に、ステップＳ３で火災検出、人体検出、虫除け機能の選択、音響信号等のパラメータの初期化を行い、防虫音信号を発振部４４から音響出力部５６に出力する。
【００６１】
音響制御部４２は、ステップＳ４で虫除け選択スイッチ４８により虫除け機能が選択されているか否かを判定し、虫除け機能が選択されていない場合には防虫音を出しない。
【００６２】
音響制御部４２は、ステップＳ４で虫除け機能が選択されている場合は、更にステップＳ５で人体検出部６６が人の存在を検出したか否かを判定し、人の存在を検出しない場合は、ステップＳ７で音響出力部５６から虫除け機能として効力のある適切なレベルの音圧で防虫音を音響出力する。
【００６３】
音響制御部４２は、ステップＳ５で人の存在を検出した場合は、発振部４４から出力される防虫音信号から人間の可聴周波数帯域を、例えばハイパスフィルタでカットし、ステップＳ７で音響出力部５６から虫除け機能として効力のある適切なレベルの音圧で防虫音を音響出力する。
【００６４】
次に火災判定部４０は、ステップＳ８で検熱部７０の感熱素子７２から受けた感熱信号の信号レベルを取得し、ステップＳ９で信号レベルを基に熱の検出があったか否かを判定し、熱の検出を判定した場合、すなわち火災を検出するとステップＳ１０に進む。
【００６５】
音響制御部４２はステップ１０で発振部４４から音響出力部５６に出力されている防虫音信号を停止し、ステップＳ１１で発振部４４から警報音信号を音響出力部５６に出力することで、音響出力部５６からの音響出力は防虫音から警報音に切り替わる。
【００６６】
音響出力部５６のスピーカ６０から警報音が出力された後、音響制御部４２はステップＳ１２で警報停止スイッチ３６を操作し警報停止指示がされているか否かを判定し、警報停止指示があった場合はステップＳ１３に進み警報を停止し、更にステップＳ１４で処理の停止指示があるか否かを判定し、処理停止指示があれば処理を停止する。
【００６７】
ステップ１２で警報停止指示がなかった場合、及びステップ１４で処理停止指示がなかった場合はステップＳ８に戻り、検熱部７０の感熱素子７２から受けた感熱信号の信号レベルを取得し、ステップＳ９で信号レベルを基に熱の検出があったか否かを判定し、火災を検出しない場合はステップＳ３に戻り、パラメータの初期化を行うことで警報音の出力が停止する。
【００６８】
なお、本実施形態は電池駆動のため、常時防虫音を出力することで電池の寿命が短くなる問題がある。対策としては、音響出力部の電源を火災警報機能とは別に設け、火災警報器の寿命に影響しないようにしても良い。
【００６９】
また、本発明は上記の実施形態に限定されず、その目的と利点を損なうことのない適宜の変形を含み、更に上記の実施形態に示した数値による限定は受けない。
【図面の簡単な説明】
【００７０】
【図１】本発明による火災警報器の実施形態の外観を示した説明図
【図２】本発明による火災警報器の実施形態の回路構成を示したブロック図
【図３】図２に示す発振部が出力する防虫音信号の作成方法を示す説明図
【図４】本発明による火災警報器の実施形態の処理手順を示すフローチャート
【図５】本発明による火災警報器の他の実施形態の回路構成を示したブロック図
【図６】本発明による火災警報器の他の実施形態の処理手順を示すフローチャート
【符号の説明】
【００７１】
１０：火災警報器
１２：本体
１４：カバー
１６：取り付け部
１８：煙流入口
２０：赤外線透過フィルター
２２：音響孔
２４：警報表示灯
２６：警報停止ボタン
２８：虫除け表示灯
３０：虫除け選択ボタン
３２：電池
３４：ノイズ吸収部
３６：警報停止スイッチ
３８：制御部
４０：火災判定部
４２：音響制御部
４４：発振部
４６：メモリ
４８：虫除け選択スイッチ
５０：検煙部
５２：発光素子
５４：受光素子
５６：音響出力部
５８：増幅部
６０：スピーカ
６２：警報表示灯部
６４：虫除け表示灯部
６６：人体検出部
６８：電圧低下検出部
７０：熱検出部
７２：感熱素子
【図１】
2008276448.tif 000003
【図２】
2008276448.tif 000004
【図３】
2008276448.tif 000005
【図４】
2008276448.tif 000006
【図５】
2008276448.tif 000007
【図６】
2008276448.tif 000008